【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
サンプルから標的を単離する方法であって、該方法は：
ａ）サンプル、抗体連結型免疫沈降剤および赤血球を含む混合物を形成する工程であって、ここで、該抗体連結型免疫沈降剤は、
１）少なくとも１つの沈降剤および
２）抗体の非抗原結合領域によって該少なくとも１つの沈降剤に連結された少なくとも１つの抗体
を含む、工程；
ｂ）ルローを形成するのに十分であり、かつ該抗体が該混合物中に存在する抗原に結合可能であるのに十分な条件下で該混合物をインキュベートする工程；ならびに
ｃ）該混合物から標的を回収する工程
を包含し、ここで、好ましくは、該標的が、多細胞生物、単細胞生物、細胞、細胞内成分、細胞フラグメント、ウイルス、ウイルス様標的、膜結合粒子、脂質粒子、巨大分子、ＤＮＡ、ＲＮＡおよびタンパク質のうちの少なくとも１つを含み；そして
好ましくは、該標的が、ポジティブセレクションまたはネガティブセレクションによって単離される、方法。
【請求項２】
前記ルローの前記赤血球上への前記少なくとも１つの沈降剤の吸着によって、該ルローが形成される、請求項１に記載の方法。
【請求項３】
前記少なくとも１つの抗体が、前記混合物の形成前に、前記少なくとも１つの沈降剤に連結されている、請求項１または２に記載の方法。
【請求項４】
前記抗体が、前記サンプル中の標的抗原または非標的抗原に結合する、請求項１〜３のいずれか１項に記載の方法。
【請求項５】
ルローネットワークを形成するのに十分な条件下で前記混合物をインキュベートする工程をさらに包含する、請求項１〜４のいずれか１項に記載の方法。
【請求項６】
前記サンプルが、全血、血漿、血液幹細胞単離物、多血小板血漿、分画血液、濃厚赤血球、臍帯血、骨髄、骨髄穿刺液、バフィーコート層、白血球アフェレーシス単離物、プラスマフェレーシス単離物、細胞懸濁液、細胞培養培地、細胞混合物、細胞ホモジネート、膵臓単離物、臓器ホモジネート、食塩水、リンガー溶液、乳酸加リンガー溶液、リン酸緩衝化食塩水、ウイルス培養培地、卵母細胞混合物、精子、配偶子混合物およびそれらの組み合わせからなる群より選択される、請求項１〜５のいずれか１項に記載の方法。
【請求項７】
前記混合物が、
・内因性赤血球；
・外来性赤血球であって、好ましくは、同種の赤血球、自己の赤血球、異種の赤血球およびそれらの組み合わせから好ましくは選択される、外来性赤血球；および
・それらの組み合わせ
からなる群より選択される赤血球を含む、請求項１〜６のいずれか１項に記載の方法。
【請求項８】
前記標的が、多細胞生物、単細胞生物、細胞、細胞内成分、細胞フラグメント、ウイルス、ウイロイド、ウイルス様標的、膜結合粒子、脂質粒子、巨大分子、ＤＮＡ、ＲＮＡ、核酸様巨大分子、ペプチド、ポリペプチドおよびタンパク質を含む、請求項１〜７のいずれか１項に記載の方法。
【請求項９】
前記少なくとも１つの沈降剤が、
・可溶性の沈降剤、部分的に可溶性の沈降剤およびそれらの組み合わせからなる群より選択される；および／または
・不溶性の沈降剤を含む；および／または
・ポリマーを含み、該ポリマーが、好ましくは、
０生体高分子であって、該生体高分子は、好ましくは、
*多糖であって、該多糖は、好ましくは
・デンプン；
・デキストラン；
・セルロース；
・キチン；
・キサンタンガム；
・グリコサミノグリカンであって、該グリコサミノグリカンは、好ましくはヘパリン、ヘパリン硫酸、コンドロイチン硫酸およびそれらの組み合わせからなる群より選択される、グリコサミノグリカン；および
・それらの組み合わせ
からなる群より選択される、多糖；
*ポリペプチドであって、該ポリペプチドは、好ましくは、アルブミン、コラーゲン、フィブリノゲン、免疫グロブリンおよびそれらの組み合わせからなる群より選択される、ポリペプチド；および
*それらの組み合わせ
からなる群より選択される、生体高分子；
０合成ポリマーであって、該合成ポリマーは、好ましくは、ポリオキシエチレン、ポリオキシエチレングリコール、ポリオキシエチレンオキシド、ポリビニルピロリドン、ポリ乳酸、ポリグリコール酸、ポリジオキサノンおよびそれらの組み合わせからなる群より選択される、合成ポリマー；
０改変された生体高分子であって、該改変された生体高分子は、
*好ましくは、
・加水分解されたコラーゲン−ゼラチン；
・ＦＩＣＯＬＬ；
・エチレンオキシド修飾デンプンであって、該エチレンオキシド修飾デンプンは、好ましくは、ヒドロキシエチルデンプン、ペンタスターチおよびそれらの組み合わせからなる群より選択されるエチレンオキシド修飾デンプン；および
・それらの組み合わせ
からなる群より選択される、改変された生体高分子；または
*好ましくは、ヨウ化造影剤を含み、該ヨウ化造影剤は、ジアトリゾアート、イオパミドール、イオヘキソール、イオキシラン、イオプロミド、イオジキサノールおよびイオキサグレートからなる群より選択される；および
０それらの組み合わせ
からなる群より選択される、請求項１〜８のいずれか１項に記載の方法。
【請求項１０】
前記抗体が、
・モノクローナル抗体、ポリクローナル抗体およびそれらの組み合わせからなる群より選択される；および／または
・以下：
０抗体フラグメントであって、該抗体フラグメントは好ましくは、抗原結合ドメイン、Ｆａｂ、Ｆ（ａｂ’）２、Ｆ（ａｂ’）を含む、抗体フラグメント；
０キメラ抗体；
０二機能性抗体；および
０二重特異性抗体
のうちの少なくとも１つを含む、請求項１〜９のいずれか１項に記載の方法。
【請求項１１】
前記サンプルが、血液を含み、該血液が、好ましくは、全血、血漿、血液幹細胞単離物、多血小板血漿、分画血液、濃厚赤血球、臍帯血、骨髄、骨髄穿刺液およびバフィーコート層を含む、請求項１〜１０のいずれか１項に記載の方法。
【請求項１２】
・前記インキュベートする工程が、約１０分間〜約１２０分間である；および／または
・前記方法が、約０℃〜約４５℃の温度で行われる；および／または
・前記方法が、約５．４〜約９．４のｐＨで行われる、請求項１〜１１のいずれか１項に記載の方法。
【請求項１３】
前記混合物から標的を回収する工程が、該混合物から前記ルローを分離する工程を包含する、請求項１〜１２のいずれか１項に記載の方法。
【請求項１４】
前記混合物から標的を回収する工程が、該混合物から前記ルローネットワークを分離する工程を包含する、請求項５に記載の方法。
【請求項１５】
前記混合物から標的を回収する工程が、沈降、遠心分離、密度勾配遠心分離、磁場、電場、細胞溶解、化学的架橋、抽出、相転移、凍結融解の繰り返し、蒸発、煮沸、昇華、融解、結晶化、可塑化、濾過およびそれらの組み合わせのうちの少なくとも１つに該混合物を供する工程を包含する、請求項１〜１４のいずれか１項に記載の方法。
【請求項１６】
前記抗体連結型免疫沈降剤が、少なくとも２つの異なる抗原に指向する抗体を含み、該抗体は、非抗原結合領域によって該沈降剤に連結されている、請求項１〜１５のいずれか１項に記載の方法。
【請求項１７】
前記抗体連結型免疫沈降剤が、少なくとも２つの異なる沈降剤を含む、請求項１〜１６のいずれか１項に記載の方法。
【請求項１８】
前記混合物にブロッキング剤を添加する工程をさらに包含し、ここで、該ブロッキング剤が、好ましくは、ヒトアルブミン、ウシ血清アルブミン、ウシ胎仔血清、免疫グロブリン、抗ＣＤ１６抗体、抗ヒトＣＤ３２（ＦｃγＲＩＩ）、Ｆｃレセプター抗体およびそれらの組み合わせからなる群より選択される、請求項１〜１７のいずれか１項に記載の方法。
【請求項１９】
サンプルから標的を単離する方法であって、該方法は：
ａ）サンプル、抗体連結型免疫沈降剤および赤血球を含む混合物を形成する工程であって、ここで、該抗体連結型免疫沈降剤は、
１）ポリエチレングリコール、デキストランおよびヒドロキシエチルデンプンからなる群より選択される少なくとも１つの沈降剤；および
２）抗体の非抗原結合領域によって該少なくとも１つの沈降剤に連結された少なくとも１つの抗体
を含み、ここで、該抗体は、抗ＣＤ３抗体、抗ＣＤ１９抗体、抗インスリン抗体、抗ＣＤ３４抗体、抗ＣＤ４抗体、抗ＣＤ１４抗体、抗ＣＤ１６抗体、抗ＣＤ１９抗体、抗ＣＤ２０抗体、抗ＣＤ３６抗体、抗ＣＤ５６抗体、抗ＣＤ１２３抗体、抗ＴＣＲγ／δ抗体、抗グリコホリンＡ抗体および抗ＧＰ１２０抗体からなる群より選択される、工程；
ｂ）ルローを形成するのに十分であり、かつ該抗体が該混合物中に存在する抗原に結合可能であるのに十分な条件下で該混合物をインキュベートする工程；ならびに
ｃ）該混合物から標的を回収する工程
を包含する、方法。
【手続補正２】
【補正対象書類名】明細書
【補正対象項目名】００１８
【補正方法】変更
【補正の内容】
【００１８】
別の態様において、本開示は、サンプルから標的を単離する方法に関する。その方法は、サンプル、抗体連結型免疫沈降剤および赤血球を含む混合物を形成する工程（ここで、その抗体連結型免疫沈降剤は、ポリエチレングリコール、デキストランおよびヒドロキシエチルデンプンからなる群より選択される少なくとも１つの沈降剤；ならびに抗体の非抗原結合領域によってその少なくとも１つの沈降剤に連結された少なくとも１つの抗体を含み、ここで、その抗体は、抗ＣＤ３抗体、抗ＣＤ１９抗体、抗インスリン抗体、抗ＣＤ３４抗体、抗ＣＤ４抗体、抗ＣＤ１４抗体、抗ＣＤ１６抗体、抗ＣＤ１９抗体、抗ＣＤ２０抗体、抗ＣＤ３６抗体、抗ＣＤ５６抗体、抗ＣＤ１２３抗体、抗ＴＣＲγ／δ抗体、抗グリコホリンＡ抗体および抗ＧＰ１２０抗体からなる群より選択される）；ルローを形成するのに十分かつその抗体が混合物中に存在する抗原に結合可能であるのに十分な条件下でその混合物をインキュベートする工程；およびその混合物から標的を回収する工程を包含する。
特定の実施形態では、例えば以下が提供される：
（項目１）
サンプルから標的を単離する方法であって、該方法は：
ａ）サンプル、抗体連結型免疫沈降剤および赤血球を含む混合物を形成する工程であって、ここで、該抗体連結型免疫沈降剤は、
１）少なくとも１つの沈降剤および
２）抗体の非抗原結合領域によって該少なくとも１つの沈降剤に連結された少なくとも１つの抗体
を含む、工程；
ｂ）ルローを形成するのに十分であり、かつ該抗体が該混合物中に存在する抗原に結合可能であるのに十分な条件下で該混合物をインキュベートする工程；ならびに
ｃ）該混合物から標的を回収する工程
を包含する、方法。
（項目２）
前記ルローの前記赤血球上への前記少なくとも１つの沈降剤の吸着によって、該ルローが形成される、項目１に記載の方法。
（項目３）
前記少なくとも１つの抗体が、前記混合物の形成前に、前記少なくとも１つの沈降剤に連結されている、項目１または２に記載の方法。
（項目４）
前記抗体が、前記サンプル中の標的抗原または非標的抗原に結合する、項目１〜３のいずれか１項に記載の方法。
（項目５）
ルローネットワークを形成するのに十分な条件下で前記混合物をインキュベートする工程をさらに包含する、項目１〜４のいずれか１項に記載の方法。
（項目６）
前記サンプルが、全血、血漿、血液幹細胞単離物、多血小板血漿、分画血液、濃厚赤血球、臍帯血、骨髄、骨髄穿刺液、バフィーコート層、白血球アフェレーシス単離物、プラスマフェレーシス単離物、細胞懸濁液、細胞培養培地、細胞混合物、細胞ホモジネート、膵臓単離物、臓器ホモジネート、食塩水、リンガー溶液、乳酸加リンガー溶液、リン酸緩衝化食塩水、ウイルス培養培地、卵母細胞混合物、精子、配偶子混合物およびそれらの組み合わせからなる群より選択される、項目１〜５のいずれか１項に記載の方法。
（項目７）
前記混合物が、内因性赤血球、外来性赤血球およびそれらの組み合わせからなる群より選択される赤血球を含む、項目１〜６のいずれか１項に記載の方法。
（項目８）
前記外来性赤血球が、同種の赤血球、自己の赤血球、異種の赤血球およびそれらの組み合わせからなる群より選択される、項目７に記載の方法。
（項目９）
前記標的が、多細胞生物、単細胞生物、細胞、細胞内成分、細胞フラグメント、ウイルス、ウイロイド、ウイルス様標的、膜結合粒子、脂質粒子、巨大分子、ＤＮＡ、ＲＮＡ、核酸様巨大分子、ペプチド、ポリペプチドおよびタンパク質を含む、項目１〜８のいずれか１項に記載の方法。
（項目１０）
前記少なくとも１つの沈降剤が、可溶性の沈降剤、部分的に可溶性の沈降剤およびそれらの組み合わせからなる群より選択される、項目１〜９のいずれか１項に記載の方法。
（項目１１）
前記少なくとも１つの沈降剤が、不溶性の沈降剤を含む、項目１〜１０のいずれか１項に記載の方法。
（項目１２）
前記少なくとも１つの沈降剤が、ポリマーを含む、項目１〜１１のいずれか１項に記載の方法。
（項目１３）
前記ポリマーが、生体高分子、合成ポリマー、改変された生体高分子およびそれらの組み合わせからなる群より選択される、項目１２に記載の方法。
（項目１４）
前記生体高分子が、多糖、ポリペプチドおよびそれらの組み合わせからなる群より選択される、項目１３に記載の方法。
（項目１５）
前記多糖が、デンプン、デキストラン、セルロース、キチン、キサンタンガム、グリコサミノグリカンおよびそれらの組み合わせからなる群より選択される、項目１４に記載の方法。
（項目１６）
前記グリコサミノグリカンが、ヘパリン、ヘパリン硫酸、コンドロイチン硫酸およびそれらの組み合わせからなる群より選択される、項目１５に記載の方法。
（項目１７）
前記ポリペプチドが、アルブミン、コラーゲン、フィブリノゲン、免疫グロブリンおよびそれらの組み合わせからなる群より選択される、項目１４に記載の方法。
（項目１８）
前記合成ポリマーが、ポリオキシエチレン、ポリオキシエチレングリコール、ポリオキシエチレンオキシド、ポリビニルピロリドン、ポリ乳酸、ポリグリコール酸、ポリジオキサノンおよびそれらの組み合わせからなる群より選択される、項目１３に記載の方法。
（項目１９）
前記改変された生体高分子が、加水分解されたコラーゲン−ゼラチン、ＦＩＣＯＬＬ、エチレンオキシド修飾デンプンおよびそれらの組み合わせからなる群より選択される、項目１３に記載の方法。
（項目２０）
前記改変された生体高分子が、ヨウ化造影剤を含み、該ヨウ化造影剤は、ジアトリゾアート、イオパミドール、イオヘキソール、イオキシラン、イオプロミド、イオジキサノールおよびイオキサグレートからなる群より選択される、項目１３に記載の方法。
（項目２１）
前記エチレンオキシド修飾デンプンが、ヒドロキシエチルデンプン、ペンタスターチおよびそれらの組み合わせからなる群より選択される、項目１９に記載の方法。
（項目２２）
前記抗体が、モノクローナル抗体、ポリクローナル抗体およびそれらの組み合わせからなる群より選択される、項目１〜２１のいずれか１項に記載の方法。
（項目２３）
前記抗体が、抗体フラグメント、キメラ抗体、二機能性抗体および二重特異性抗体のうちの少なくとも１つを含む、項目１〜２２のいずれか１項に記載の方法。
（項目２４）
前記抗体フラグメントが、抗原結合ドメイン、Ｆａｂ、Ｆ（ａｂ’）２、Ｆ（ａｂ’）を含む、項目２３に記載の方法。
（項目２５）
前記サンプルが、血液を含む、項目１〜２４のいずれか１項に記載の方法。
（項目２６）
前記血液が、全血、血漿、血液幹細胞単離物、多血小板血漿、分画血液、濃厚赤血球、臍帯血、骨髄、骨髄穿刺液およびバフィーコート層を含む、項目２５に記載の方法。
（項目２７）
前記インキュベートする工程が、約１０分間〜約１２０分間である、項目１〜２６のいずれか１項に記載の方法。
（項目２８）
前記方法が、約０℃〜約４５℃の温度で行われる、項目１〜２７のいずれか１項に記載の方法。
（項目２９）
前記方法が、約５．４〜約９．４のｐＨで行われる、項目１〜２８のいずれか１項に記載の方法。
（項目３０）
前記混合物から標的を回収する工程が、該混合物から前記ルローを分離する工程を包含する、項目１〜２９のいずれか１項に記載の方法。
（項目３１）
前記混合物から標的を回収する工程が、該混合物から前記ルローネットワークを分離する工程を包含する、項目５に記載の方法。
（項目３２）
前記混合物から標的を回収する工程が、沈降、遠心分離、密度勾配遠心分離、磁場、電場、細胞溶解、化学的架橋、抽出、相転移、凍結融解の繰り返し、蒸発、煮沸、昇華、融解、結晶化、可塑化、濾過およびそれらの組み合わせのうちの少なくとも１つに該混合物を供する工程を包含する、項目１〜３１のいずれか１項に記載の方法。
（項目３３）
前記標的が、ポジティブセレクションまたはネガティブセレクションによって単離される、項目１〜３２のいずれか１項に記載の方法。
（項目３４）
前記標的が、多細胞生物、単細胞生物、細胞、細胞内成分、細胞フラグメント、ウイルス、ウイルス様標的、膜結合粒子、脂質粒子、巨大分子、ＤＮＡ、ＲＮＡおよびタンパク質のうちの少なくとも１つを含む、項目１〜３３のいずれか１項に記載の方法。
（項目３５）
前記抗体連結型免疫沈降剤が、少なくとも２つの異なる抗原に指向する抗体を含み、該抗体は、非抗原結合領域によって該沈降剤に連結されている、項目１〜３４のいずれか１項に記載の方法。
（項目３６）
前記抗体連結型免疫沈降剤が、少なくとも２つの異なる沈降剤を含む、項目１〜３５のいずれか１項に記載の方法。
（項目３７）
前記混合物にブロッキング剤を添加する工程をさらに包含する、項目１〜３６のいずれか１項に記載の方法。
（項目３８）
前記ブロッキング剤が、ヒトアルブミン、ウシ血清アルブミン、ウシ胎仔血清、免疫グロブリン、抗ＣＤ１６抗体、抗ヒトＣＤ３２（ＦｃγＲＩＩ）、Ｆｃレセプター抗体およびそれらの組み合わせからなる群より選択される、項目３７に記載の方法。
（項目３９）
サンプルから標的を単離する方法であって、該方法は：
ａ）サンプル、抗体連結型免疫沈降剤および赤血球を含む混合物を形成する工程であって、ここで、該抗体連結型免疫沈降剤は、
１）ポリエチレングリコール、デキストランおよびヒドロキシエチルデンプンからなる群より選択される少なくとも１つの沈降剤；および
２）抗体の非抗原結合領域によって該少なくとも１つの沈降剤に連結された少なくとも１つの抗体
を含み、ここで、該抗体は、抗ＣＤ３抗体、抗ＣＤ１９抗体、抗インスリン抗体、抗ＣＤ３４抗体、抗ＣＤ４抗体、抗ＣＤ１４抗体、抗ＣＤ１６抗体、抗ＣＤ１９抗体、抗ＣＤ２０抗体、抗ＣＤ３６抗体、抗ＣＤ５６抗体、抗ＣＤ１２３抗体、抗ＴＣＲγ／δ抗体、抗グリコホリンＡ抗体および抗ＧＰ１２０抗体からなる群より選択される、工程；
ｂ）ルローを形成するのに十分であり、かつ該抗体が該混合物中に存在する抗原に結合可能であるのに十分な条件下で該混合物をインキュベートする工程；ならびに
ｃ）該混合物から標的を回収する工程
を包含する、方法。
（項目４０）
少なくとも１つの沈降剤および該少なくとも１つの沈降剤に連結された少なくとも１つの抗体を含む抗体連結型免疫沈降剤であって、ここで、該少なくとも１つの抗体は、非抗原結合領域によって該少なくとも１つの沈降剤に連結されている、抗体連結型免疫沈降剤。
（項目４１）
前記少なくとも１つの沈降剤に連結された前記少なくとも１つの抗体が、モノクローナル抗体、ポリクローナル抗体およびそれらの組み合わせからなる群より選択される、項目４０に記載の抗体連結型免疫沈降剤。
（項目４２）
前記少なくとも１つの抗体が、キメラ抗体、二機能性抗体、二重特異性抗体、ＩｇＡ、ＩｇＤ、ＩｇＥ、ＩｇＧ、ＩｇＭ、インタクトな抗体および抗体フラグメントのうちの少なくとも１つを含む、項目４０〜４１のいずれか１項に記載の抗体連結型免疫沈降剤。
（項目４３）
前記抗体フラグメントが、抗原結合領域、抗体超可変領域、抗体パラトープ、抗体軽鎖、抗体重鎖、対形成した抗体重鎖および軽鎖、Ｆａｂ、Ｆ（ａｂ’）２ならびにＦ（ａｂ’）のうちの少なくとも１つを含む、項目４２に記載の抗体連結型免疫沈降剤。
（項目４４）
前記少なくとも１つの沈降剤に連結された前記少なくとも１つの抗体が、Ｆｃ領域、ヒンジ領域、軽鎖定常（ＣＬ）領域、重鎖（ＣＨ１）領域、軽鎖（ＣＬ）領域および重鎖（ＣＨ１）領域、重鎖（ＣＨ２）領域ならびに重鎖（ＣＨ３）領域によって該少なくとも１つの沈降剤に連結されている、項目４０〜４３のいずれか１項に記載の抗体連結型免疫沈降剤。
（項目４５）
前記少なくとも１つの沈降剤に連結された前記少なくとも１つの抗体が、該少なくとも１つの沈降剤に直接連結されている、項目４０〜４４のいずれか１項に記載の抗体連結型免疫沈降剤。
（項目４６）
前記少なくとも１つの沈降剤に連結された前記少なくとも１つの抗体が、該少なくとも１つの沈降剤に間接的に連結されている、項目４０〜４４のいずれか１項に記載の抗体連結型免疫沈降剤。
（項目４７）
前記少なくとも１つの沈降剤が、可溶性の沈降剤、部分的に可溶性の沈降剤およびそれらの組み合わせからなる群より選択される、項目４０〜４６のいずれか１項に記載の抗体連結型免疫沈降剤。
（項目４８）
前記少なくとも１つの沈降剤が、不溶性の沈降剤を含む、項目４０〜４７のいずれか１項に記載の抗体連結型免疫沈降剤。
（項目４９）
前記少なくとも１つの沈降剤が、ポリマーを含む、項目４０〜４８のいずれか１項に記載の抗体連結型免疫沈降剤。
（項目５０）
前記ポリマーが、生体高分子、合成ポリマー、改変された生体高分子およびそれらの組み合わせからなる群より選択される、項目４９に記載の抗体連結型免疫沈降剤。
（項目５１）
前記生体高分子が、多糖およびポリペプチドのうちの少なくとも１つを含む、項目５０に記載の抗体連結型免疫沈降剤。
（項目５２）
前記生体高分子が、多糖を含む、項目５０または５１に記載の抗体連結型免疫沈降剤。
（項目５３）
前記多糖が、デンプン、デキストラン、セルロース、キチン、キサンタンガムおよびグリコサミノグリカンのうちの少なくとも１つを含む、項目５１または５２に記載の抗体連結型免疫沈降剤。
（項目５４）
前記グリコサミノグリカンが、ヘパリン、ヘパリン硫酸およびコンドロイチン硫酸のうちの少なくとも１つを含む、項目５３に記載の抗体連結型免疫沈降剤。
（項目５５）
前記ポリペプチドが、アルブミン、コラーゲン、フィブリノゲンおよび免疫グロブリンのうちの少なくとも１つを含む、項目５１に記載の抗体連結型免疫沈降剤。
（項目５６）
前記ポリマーが、合成ポリマーを含む、項目５０に記載の抗体連結型免疫沈降剤。
（項目５７）
前記合成ポリマーが、ポリオキシエチレン、ポリオキシエチレングリコール、ポリオキシエチレンオキシド、ポリビニルピロリドン、ポリ乳酸、ポリグリコール酸およびポリジオキサノンのうちの少なくとも１つを含む、項目５０または５６に記載の抗体連結型免疫沈降剤。
（項目５８）
前記改変された生体高分子が、加水分解されたコラーゲン−ゼラチン、ＦＩＣＯＬＬおよびエチレンオキシド修飾デンプンのうちの少なくとも１つを含む、項目５０に記載の抗体連結型免疫沈降剤。
（項目５９）
前記改変された生体高分子が、ヨウ化造影剤を含み、該ヨウ化造影剤は、ジアトリゾアート、イオパミドール、イオヘキソール、イオキシラン、イオプロミド、イオジキサノールおよびイオキサグレートからなる群より選択される、項目５０に記載の抗体連結型免疫沈降剤。
（項目６０）
前記エチレンオキシド修飾デンプンが、ヒドロキシエチルデンプンおよびペンタスターチのうちの少なくとも１つを含む、項目５８に記載の抗体連結型免疫沈降剤。
（項目６１）
少なくとも２つの異なる抗原に指向する抗体を含む、項目４０〜６０のいずれか１項に記載の抗体連結型免疫沈降剤であって、該少なくとも２つの異なる抗体は、非抗原結合領域によって該沈降剤に連結されている、抗体連結型免疫沈降剤。
（項目６２）
少なくとも２つの異なる抗原に指向する前記抗体が、非抗原結合領域によって少なくとも２つの異なる沈降剤に連結されている、項目６１に記載の抗体連結型免疫沈降剤。
（項目６３）
少なくとも２つの異なる沈降剤を含む、項目４０〜６２のいずれか１項に記載の抗体連結型免疫沈降剤。
（項目６４）
ポリエチレングリコール、デキストランおよびヒドロキシエチルデンプンからなる群より選択される少なくとも１つの沈降剤ならびに該少なくとも１つの沈降剤に連結された少なくとも１つの抗体を含む抗体連結型免疫沈降剤であって、該少なくとも１つの抗体は、非抗原結合領域によって該少なくとも１つの沈降剤に連結されており、該少なくとも１つの抗体は、抗ＣＤ３抗体、抗ＣＤ１９抗体、抗インスリン抗体、抗ＣＤ３４抗体、抗ＣＤ４抗体、抗ＣＤ１４抗体、抗ＣＤ１６抗体、抗ＣＤ１９抗体、抗ＣＤ２０抗体、抗ＣＤ３６抗体、抗ＣＤ５６抗体、抗ＣＤ１２３抗体、抗ＴＣＲγ／δ抗体、抗グリコホリンＡ抗体および抗ＧＰ１２０抗体からなる群より選択される、抗体連結型免疫沈降剤。